(57)【特許請求の範囲】
【請求項１】
第１の本体および第２の本体が互いの一方の面側が重なりあった状態に組み立てられたプラスチック部品において、前記第１の本体に貫通した表示穴を設けるとともに、前記第２の本体の前記第１の本体側の表面で前記第１の本体の表示穴に対応する位置に、前記第１の本体および第２の本体の構成材料を示す文字を含む文字部を設け、該文字部を前記表示穴を介して目視可能としたことを特徴とするプラスチック部品。
【請求項２】
文字部に、構成材料のグレードを示す文字を付加したことを特徴とする請求項１記載のプラスチック部品。
【発明の詳細な説明】
【０００１】
【発明の属する技術分野】
本発明は、各種分野で利用されるプラスチック部品において、プラスチック部品の構成材料および構成材料のグレードを示す文字部を設け、部品のリサイクルに対応する効率改善および推進化が図れるプラスチック部品に関するものである。
【０００２】
【従来の技術】
図６は従来のプラスチック部品の斜視図である。図において、１１は例えばポリスチレン（以下、ＰＳという）によって構成された側面形状がほぼ凹字状のプラスチック部品の本体、１２は成形金型の刻印によって形成された本体１１の構成材料を示す材料名、つまり「ＰＳ」の文字１２ａを含む「＞ＰＳ＜」の文字部で、本体１１の表面のいずれか１箇所、例えば一方の面１１ａの隅部に設けられており、文字部１２により表示された材料名「ＰＳ」によって、本体１１がどのような材料で構成されているかを目視により判別、確認できるようになっている。
【０００３】
そして、このプラスチック部品をリサイクルする場合は、本体１１の文字部１２（材料名「ＰＳ」）を目視することによって、本体１１の構成材料を判別、確認し、構成材料毎に分別する。分別後、構成材料毎のプラスチック部品はそれぞれ再製等のリサイクル処理へと進む。
【０００４】
【発明が解決しようとする課題】
上記のような従来のプラスチック部品においては、本体１１の表面のいずれか１箇所に文字部１２が設けられており、その文字部１２により表示されている材料名「ＰＳ」によって、プラスチック部品の構成材料を目視により判別、確認していた。しかしながら、プラスチック部品をリサイクルするために行われる構成材料毎の分別作業では、本体１１に設けられた文字部１２がどこに設けられているのかわかりにくく、文字部１２を探すのに時間がかかり、分別作業を煩わしいものにしていた。また、文字部１２が本体１１の表面のいずれか１箇所にしか設けられていないため、例えば重なって組み立てられた部品で、その重なった部分に文字部１２が設けられている場合には、組立部品を個々に分解しなければ文字部１２を見ることができず、分別作業をより煩雑なものにしていた。さらに、プラスチック部品が破壊されて断片的になり、文字部１２が消滅してしまったものにおいては、構成材料毎に分別することが不可能になってしまい、リサイクルできる部品が無駄になるなどの問題もあった。
【０００５】
また、プラスチック部品を構成する材料においては、同じ材料でも高グレード、低グレードなどグレードが異なるものがあるが、従来のプラスチック部品に設けられた文字部１２では、本体１１の構成材料の材料名「ＰＳ」のみが表示されているだけで、グレードの違いを示す表示はなされていなかった。これにより、構成材料の各グレードで分別を行うことができず、高グレードのものでも低グレードのものとして再製されてしまい、より高度なリサイクルを行うことができなかった。
【０００６】
本発明は、上記のような課題を解決するためになされたもので、リサイクルを目的に、プラスチック部品の構成材料およびその構成材料のグレードを簡単かつ確実に判別、確認できて分別作業等を効率よく行え、リサイクル化の推進を図ることのできるプラスチック部品を提供することを目的としたものである。
【０００７】
【課題を解決するための手段】
本発明に係るプラスチック部品は、第１の本体および第２の本体が互いの一方の面側が重なりあった状態に組み立てられたプラスチック部品において、第１の本体に貫通した表示穴を設けるとともに、第２の本体の第１の本体側の表面で第１の本体の表示穴に対応する位置に、第１の本体および第２の本体の構成材料を示す文字を含む文字部を設け、文字部を表示穴を介して目視可能としたものである。
【０００８】
本発明に係るプラスチック部品は、文字部に、構成材料のグレードを示す文字を付加したものである。
【００１３】
【発明の実施の形態】
実施の形態１．
図１は本発明の実施の形態１に係るプラスチック部品の斜視図である。図において、１は例えばＰＳによって構成された側面形状がほぼ凹字状のプラスチック部品の本体、２は例えば成形金型の刻印によって形成された本体１の構成材料を示す材料名、つまり「ＰＳ」の文字２ａを含む「＞ＰＳ＜」の文字部で、本体１の表面である他方の面１ｂ側に複数設けられており、この複数の文字部２により表示された材料名「ＰＳ」によって、本体１がどのような材料で構成されているかを目視により判別、確認できるようになっている。
【００１４】
そして、このプラスチック部品をリサイクルする場合は、本体１に設けられた複数の文字部２により表示されている材料名「ＰＳ」を目視することによって、本体１の構成材料（ＰＳ）の判別および確認を行い、構成材料毎に分別する。分別後、構成材料毎のプラスチック部品はそれぞれ再製等のリサイクル処理へと進む。この時、本体１の他方の面１ｂには材料名「ＰＳ」の文字２ａを含む複数の文字部２が設けられているので、構成材料毎の分別作業において文字部２を容易に見つけることができる。これにより、分別作業を簡単かつ確実に行うことができるとともに、作業時間の短縮化を図ることができる。また、プラスチック部品が破壊され断片的になった場合でも、文字部２が全て消滅してしまうことを防ぐことができ、分別作業が確実に行えてリサイクルの効率化を図ることができる。
【００１５】
実施の形態２．
図２は本発明の実施の形態２に係るプラスチック部品の斜視図で、この実施の形態２は、実施の形態１に係るプラスチック部品の本体１において、その一方の面１ａ側にも複数の文字部２を設け、本体１の一方の面１ａおよび他方の面１ｂの両面から本体１の構成材料が目視により判別、確認できるように構成されている。なお、この実施の形態２に係る本体１は、外観意匠以外に用いられるプラスチック部品とする。
【００１６】
このように構成したことにより、実施の形態１とほぼ同じ作用および効果が得られ、リサイクルを目的とした構成材料毎の分別作業等において、本体１の構成材料の判別および確認を、その本体１の両面に設けられた複数の文字部２によって例えば本体１を他方の面１ｂ側に返したりすることなく簡単かつ確実に行えて、作業時間をより短縮でき、作業効率のよいプラスチック部品およびその材料表示方法を得ることができる。
【００１７】
実施の形態３．
図３は本発明の実施の形態３に係るプラスチック部品の斜視図で、この実施の形態３は、実施の形態１に係るプラスチック部品の本体１において、その他方の面１ｂに設けられた文字部２に代えて、一方の面１ａから他方の面１ｂにかけて貫通した多種形状の複数のスリット３ａによって形成された本体１の構成材料を示す材料名「ＰＳ」を含む「＞ＰＳ＜」の文字部３を設けたものである。この文字部３は、例えば成形金型によって本体１の表面に大きく１個形成されたものであり、文字部３により表示された材料名「ＰＳ」によって、本体１がどのような材料で構成されているかを目視により判別、確認できるようになっている。なお、この実施の形態３に係る本体１は板状に形成されているが、実施の形態１のように側面形状がほぼ凹字状の本体としてもよい。
【００１８】
このように構成したこの実施の形態３においても、実施の形態１で説明した場合と同様に、プラスチック部品をリサイクルする場合は、本体１に設けられた文字部３により表示されている材料名「ＰＳ」を目視することによって、本体１の構成材料（ＰＳ）の判別および確認を行い、構成材料毎に分別する。分別後、構成材料毎のプラスチック部品はそれぞれ再製等のリサイクル処理へと進む。この時、文字部３により表示された材料名「ＰＳ」は、本体１の他方の面１ｂ側から見ると反転した状態となるが、反転してもその文字の内容は問題なく確認することができる。
【００１９】
このように、複数のスリット３ａによって形成された本体１の構成材料を示す材料名「ＰＳ」を含む「＞ＰＳ＜」の文字部３を本体１に設けたので、構成材料毎の分別作業等を簡単かつ確実に行えて、作業時間を短縮でき、作業効率のよいプラスチック部品およびその材料表示方法を得ることができる。また、例えば本体１を一方の面１ａ側に返したりすることなく他方の面１ｂ側からでも構成材料毎の分別作業を行えるとともに、プラスチック部品が破壊され断片的になった場合でも、文字部３は本体１の表面に大きく設けられているので、全て消滅してしまうことを防ぐことができ、分別作業が確実に行えてリサイクルの効率化を図ることができる。
【００２０】
実施の形態４．
図４は本発明の実施の形態４の模式図である。図において、４は例えばＰＳによって構成された側面形状がほぼ凹字状の第１のプラスチック部品の本体（以下、第１の本体という）、５は例えばＰＳによって構成された側面形状がほぼ凹字状の第２のプラスチック部品の本体（以下、第２の本体という）で、第１の本体４および第２の本体５は互いの一方の面４ａ，５ａ側が重なり合った状態に組み立てられており、さらに第２の本体５は、その他方の面５ｂ側において基板６上に固定されている。また、第２の本体５の一方の面５ａ側には、例えば成形金型の刻印によって形成された第１および第２の本体４，５の構成材料を表す材料名「ＰＳ」の文字７ａを含む「＞ＰＳ＜」の文字部７が設けられ、第１の本体４には、第２の本体５の文字部７に対応する位置に表示穴８が設けられており、表示穴８を介して現れる文字部７により表示された材料名「ＰＳ」によって、組み立てられた第１の本体４および第２の本体５がどのような材料で構成されているかを目視により判別、確認できるようになっている。なお、第１の本体４の他方の面４ｂにも文字部７を設けてもよい。
【００２１】
そして、この組み立てられた第１の本体４および第２の本体５からなるプラスチック部品をリサイクルする場合は、第２の本体５に設けられた文字部７により表示されている材料名「ＰＳ」を第１の本体４に設けられた表示穴８を介して目視することによって、第１の本体４および第２の本体５の構成材料の判別および確認を行い、構成材料毎に分別する。分別後、構成材料毎のプラスチック部品はそれぞれ再製等のリサイクル処理へと進む。この時、第１の本体４の表示穴８および第２の本体５の文字部７によって、第１の本体４および第２の本体５を個々に分解することなく構成材料の判別および確認を行うことができる。これにより、組立部品においても分別作業等を簡単かつ確実に行えて、作業を短縮することができ、リサイクルの効率化を図ることができる。
【００２２】
なお、上述の実施の形態４では第２の本体５に第１および第２の本体４，５の構成材料を表す材料名「ＰＳ」の文字７ａを含む「＞ＰＳ＜」の文字部７を設けた場合を示したが、実施の形態１の場合と同様に複数の文字部７としてもよい。この場合も同様の効果を奏する。
【００２３】
実施の形態５．
図５は本発明の実施の形態５に係るプラスチック部品の斜視図で、この実施の形態５は、実施の形態１に係るプラスチック部品の本体１に設けられた文字部２において、例えば成形金型の刻印によって形成された本体１の構成材料のグレード、例えば高グレードを示す「ＨＩ」を含む「−ＨＩ」の文字２ｂを付加したもので、複数の文字部２により表示された材料名「ＰＳ」および構成材料のグレード「ＨＩ」によって、本体１がどのような材料で構成され、その構成材料がどのようなグレードであるかを目視により判別、確認できるようになっている。
【００２４】
このように構成したことにより、実施の形態１とほぼ同じ作用および効果が得られ、本体１に設けられた構成材料およびそのグレードを示す複数の文字部２によって、本体１の構成材料を容易に判別かつ確認することができる。これにより、構成材料毎の分別作業等を簡単かつ確実に行えて、作業時間を短縮でき、作業効率のよいプラスチック部品およびその材料表示方法を得ることができる。また、同じ構成材料でも高グレード、低グレードなどグレードが異なるものがあるが、複数の文字部２の文字２ｂによって構成材料のグレード「ＨＩ」も表示されているので、分別された各構成材料をグレード毎に分別することができる。これにより、低グレードだけでなく高グレードな構成材料での再製が可能となり、高度なリサイクルが行えてリサイクル化の推進を図ることができる。
【００２５】
なお、上述の実施の形態５では実施の形態１にこの発明を実施した場合を示したが、実施の形態２乃至実施の形態４にも本発明を実施することができる。これらの場合も同様の効果を奏する。
【００２６】
また、上述の実施の形態１乃至５ではプラスチック部品の構成材料をＰＳとし、形状を側面形状がほぼ凹字状または板状とした場合を示したが、これに限定するものではなく、例えばアクリロニトリルブタジエンスチレン共重合体（以下、ＡＢＳという）、ポリプロピレン（以下、ＰＰという）などのプラスチック樹脂材料で構成してもよく、各種形状としてもよい。これらの場合、例えば本体１に設けられる文字部２は、「＞ＡＢＳ＜」または「＞ＰＰ＜」等となり、それぞれ同様の効果を奏する。
【００２７】
さらに、上述の実施の形態１等において、文字部２等を成形金型によって形成した場合を示したが、例えば印刷などにより形成してもよい。この場合も同様の効果を奏する。
【００２８】
【発明の効果】
以上のように本発明に係るプラスチック部品は、第１の本体および第２の本体が互いの一方の面側が重なりあった状態に組み立てられたプラスチック部品において、第１の本体に貫通した表示穴を設けるとともに、第２の本体の第１の本体側の表面で第１の本体の表示穴に対応する位置に、第１の本体および第２の本体の構成材料を示す文字を含む文字部を設け、文字部を表示穴を介して目視可能としたので、第１の本体の表示穴および第２の本体の文字部によって、組み立てられたプラスチック部品でも個々に分解することなく構成材料の判別および確認を容易に行えて、分別作業等を簡単かつ確実に行うことができ、作業時間の短縮化が図れ、リサイクル化の効率改善および推進を図ることができる。
【００２９】
本発明に係るプラスチック部品は、文字部に、構成材料のグレードを示す文字を付加したので、構成材料毎に分別された部品を構成材料のグレード毎にも分別することができ、低グレードだけでなく高グレードな構成材料での再製が可能となって高度なリサイクルが行え、リサイクル化の推進を図ることができる。
【図面の簡単な説明】
【図１】  本発明の実施の形態１に係るプラスチック部品の斜視図である。
【図２】  本発明の実施の形態２に係るプラスチック部品の斜視図である。
【図３】  本発明の実施の形態３に係るプラスチック部品の斜視図である。
【図４】  本発明の実施の形態４の模式図である。
【図５】  本発明の実施の形態５に係るプラスチック部品の斜視図である。
【図６】  従来のプラスチック部品の斜視図である。
【符号の説明】
１  本体、２，３，７  文字部、２ａ，２ｂ，７ａ  文字、３ａ  スリット、４  第１の本体、５  第２の本体、８  表示穴。
【図１】
0003932523.tif 000002
【図２】
0003932523.tif 000003
【図３】
0003932523.tif 000004
【図４】
0003932523.tif 000005
【図５】
0003932523.tif 000006
【図６】
0003932523.tif 000007